(57)【特許請求の範囲】
【請求項１】
入力部から入力された電流が通電される連結プレート部と、前記連結プレート部の、前記入力部から入力された電流の流れ方向に間隔をおいた箇所から所定の通電電流で溶断可能な各可溶体部を介してそれぞれ連結された複数の端子部とを有するヒューズ回路構成体であって、
前記連結プレート部は、前記入力部から前記連結プレート部の内部を流れて前記各端子部へ分配する電流値を略均等にするように、前記入力部から前記流れ方向において遠ざかるにつれて幅狭となるように形成されていることを特徴とするヒューズ回路構成体。
【請求項２】
請求項１に記載のヒューズ回路構成体であって、
前記連結プレート部は、バッテリとオルタネータからの電流が通電され、
前記入力部は、オルタネータに接続されていることを特徴とするヒューズ回路構成体。
【請求項３】
請求項１又は請求項２に記載のヒューズ回路構成体であって、
前記連結プレート部は、内部を流れる電流値に対応して幅狭となるように形成されていることを特徴とするヒューズ回路構成体。
【発明の詳細な説明】
【技術分野】
【０００１】
本発明は、所定の通電電流で溶断する各可溶体部を介した端子部が連結されたヒューズ回路構成体に関する。
【背景技術】
【０００２】
例えば、移動体としての車両には、車両に搭載された様々な電子機器等に電力を供給する電源供給源としてのバッテリが搭載されている。バッテリと電子機器等に接続された電線とは、例えば、ヒュージブルリンクユニットを介して電気的に接続されて、バッテリからの電力が電子機器等に供給される。
【０００３】
このようなヒュージブルリンクユニットとして、例えば、特開２００４−１２７６９８号公報（特許文献１）に記載されたヒュージブルリンクユニットが提案されている。このヒュージブルリンクユニットは、ヒューズ回路構成体により、それぞれの電子機器等にバッテリからの電力を分配している。
【０００４】
図３は、特許文献１に記載されたヒュージブルリンクユニットのヒューズ回路構成体を示す図である。図３に示すように、ヒューズ回路構成体１００は、細長い長方形状の連結プレート部１１１と、所定値以上の電流が通電されると溶断する複数の可溶体部１１２と、各可溶体部１１２を介して連鎖状に連結された複数の雌端子部１１３ａ、ビス止め用端子部１１３ｂとから略構成されている。
【０００５】
そして、このヒューズ回路構成体１００は、ハウジング（図示省略）に装着して、バッテリと接続される入力部（図示省略）とオルタネータと接続される入力部１１４から入力される電力を、雌端子部１１３ａ、ビス止め用端子部１１３ｂと接続された電子機器等に供給する。
【０００６】
また、可溶体部１１２に所定以上の電流が通電されると、可溶体部１１２が発熱によって溶断して、電子機器等に過度な電力が供給されることを防止している。
【先行技術文献】
【特許文献】
【０００７】
【特許文献１】特開２００４−１２７６９８号公報
【発明の概要】
【発明が解決しようとする課題】
【０００８】
ところで、上述した従来のヒューズ回路構成体１００は、車両の走行中に入力部１１４から入力された電流が連結プレート部１１１を介して入力部１１４側の端子部１１３から順に分配される（図３の矢印Ｚ参照）。
【０００９】
この連結プレート部１１１は、幅が均一に形成されているため、連結プレート部１１１のいずれの箇所でも抵抗値が同となる。このため、入力部１１４から端子部１１３に分配される電流値は、入力部１１４から遠ざかるにつれて小さくなる。
【００１０】
このように、端子部１１３に分配される電流値が入力部１１４から遠ざかるにつれて小さくなるため、各可溶体部の電流値に対する定格が同じであっても、入力部１１４に近い可溶体部１１２は遠い可溶体部１１２よりも早く溶断してしまうおそれがある。このため、各可溶体部の溶断特性のばらつきが及ぼす電子機器等への影響を抑制したい。
【００１１】
そこで、本発明は、可溶体部の溶断時間のばらつきを抑制することができるヒューズ回路構成体を提供することを目的とする。
【課題を解決するための手段】
【００１２】
上記目的を達成するため、本願請求項１に記載した本発明のヒューズ回路構成体は、入力部から入力された電流が通電される連結プレート部と、前記連結プレート部の、前記入力部から入力された電流の流れ方向に間隔をおいた箇所から所定の通電電流で溶断可能な各可溶体部を介してそれぞれ連結された複数の端子部とを有するヒューズ回路構成体であって、前記連結プレート部は、前記入力部から前記連結プレート部の内部を流れて前記各端子部へ分配する電流値を略均等にするように、前記入力部から前記流れ方向において遠ざかるにつれて幅狭となるように形成されていることを特徴とする。
【００１３】
請求項２に記載した本発明のヒューズ回路構成体は、請求項１に記載のヒューズ回路構成体であって、前記連結プレート部は、バッテリとオルタネータからの電流が通電され、前記入力部は、オルタネータに接続されていることを特徴とする。
【００１４】
請求項３に記載した本発明のヒューズ回路構成体は、請求項１又は請求項２に記載のヒューズ回路構成体であって、前記連結プレート部は、内部を流れる電流値に対応して幅狭となるように形成されていることを特徴とする。
【発明の効果】
【００１５】
請求項１に記載した本発明のヒューズ回路構成体によれば、入力部から入力された電流の流れ方向において遠ざかるにつれて幅狭となるように連結プレート部が形成されている。このため、連結プレート部が可溶体部の過負荷を均等にすることにより、可溶体部の溶断時間のばらつきを抑制する。
【００１６】
従って、可溶体部の溶断時間のばらつきを抑制することができるヒューズ回路構成体を提供することができる。
【００１７】
請求項２に記載した本発明のヒューズ回路構成体によれば、オルタネータに接続される入力部から電流の流れ方向において遠ざかるにつれて幅狭となるように連結プレート部が形成されている。このため、特に大きい電力を供給するオルタネータに接続される入力部からの電力に対して、連結プレート部が可溶体部の過負荷を均等にして、可溶体部の溶断時間のばらつきを抑制することができる。
【００１８】
請求項３に記載した本発明のヒューズ回路構成体によれば、連結プレート部の内部を流れる電流値に対応して幅狭となるように連結プレート部が形成されている。このため、より確実に連結プレート部が可溶体部の過負荷を均等にすることができ、各可溶体部の溶断時間のばらつきを抑制することができる。
【図面の簡単な説明】
【００１９】
【図１】本発明の実施形態に係るヒューズ回路構成体を示す正面図である。
【図２】本発明の実施形態に係るヒューズ回路構成体の連結プレート部の幅を説明するための正面図である。
【図３】従来のヒュージブルリンクユニットのヒューズ回路構成体を示す正面図である。
【発明を実施するための形態】
【００２０】
以下、本発明の実施形態に係るヒューズ回路構成体について図面を参照して説明する。はじめに、図１を参照して、本発明の実施形態に係るヒューズ回路構成体について詳細に説明する。図１は、本発明の実施形態に係るヒューズ回路構成体を示す正面図である。
【００２１】
本発明の実施形態に係るヒューズ回路構成体は、バッテリとオルタネータからの電流を通電して電力を電子機器等に供給するとともに、所定の通電電流で可溶体部を溶断して電子機器等に過度な電力が供給されることを防止するヒューズ回路構成体である。
【００２２】
図１に示すように、ヒューズ回路構成体（バスバ）１は、バッテリとオルタネータからの電流が通電される連結プレート部１１（１１ａ〜１１ｃ）と、所定の通電電流で溶断可能な複数の可溶体部１２と、各可溶体部（ヒューズ）１２を介して連結プレート部１１と連結された複数の端子部１３とから略構成されている。
【００２３】
ヒューズ回路構成体１は、導電性を有する金属板を加工して形成されており、絶縁性を有する合成樹脂製のハウジング（図示省略）に装着されて、バッテリとオルタネータからの電力を車両に搭載された電子機器等に供給する。
【００２４】
連結プレート部１１（１１ａ〜１１ｃ）は、バッテリと接続された入力部（図示省略）から入力された電流と、オルタネータと接続された入力部１４から入力された電流が通電される。
【００２５】
連結プレート部１１は、入力部１４から入力された電流の流れ方向Ｘにおいて遠ざかるにつれて幅狭となるように形成されている。つまり、連結プレート部１１の幅方向の一側２１は、連結プレート部１１の内部を流れる電流値に対応して幅が狭くなるように他側２２に対して傾斜する傾斜部２３が形成されている。
【００２６】
ところで、幅が均一の連結プレート部では、連結プレート部のいずれの箇所も抵抗値が同じとなる。このため、入力部１４から分配される電流値は、入力部１４から遠ざかるにつれて小さくなる。
【００２７】
しかしながら、本発明の実施形態に係る連結プレート部１１は、入力部１４から入力された電流の流れ方向Ｘにおいて遠ざかるにつれて幅狭となるように連結プレート部１１が形成されている。
【００２８】
このため、入力部１４から連結プレート部１１の内部を流れて端子部１３へ分配する電流値を略均等にすることにより、連結プレート部１１が可溶体部の過負荷を均等にして、可溶体部の溶断時間のばらつきを抑制することができる。
【００２９】
各可溶体部１２は、連結プレート部１１の、入力部１４から入力された電流の流れ方向Ｘに間隔をおいた箇所から連結されている。
【００３０】
この各可溶体部１２には、細幅のクランク状を有し、そのクランク形状の途中に低融点金属が加締め固定されており、それぞれに所定値以上の電流が通電されると溶断して電子機器等に過度な電力が供給されることを防止する。
【００３１】
また、各可溶体部１２は、連結プレート部１１と各端子部１３との間に介在し、連結プレート部１１の他側２２に対して傾斜することなく、連結プレート部１１と同一平面状に配置されている。
【００３２】
各端子部１３は、連結プレート部の、入力部１４から入力された電流の流れ方向Ｘに間隔をおいた箇所から各可溶体部１２を介してそれぞれ連鎖状に連結されている。
【００３３】
この各端子部１３には、車両に搭載された電気機器の端子（図示省略）を接続する機器接続用貫通孔２４が形成されている。この機器接続用貫通孔２４は各端子部１３の厚さ方向に貫通して形成されており、機器接続用貫通孔２４にボルト（図示省略）を挿入してＬＡ端子（図示省略）を介して電気機器の端子と接続する。
【００３４】
入力部１４には、オルタネータと接続するオルタネータ接続用貫通孔２５が形成されている。このオルタネータ接続用貫通孔２５は入力部１４の厚さ方向に貫通して形成されており、オルタネータ接続用貫通孔２５にボルト（図示省略）を挿入してオルタネータ用ケーブルのＬＡ端子（図示省略）と接続する。
【００３５】
上記のように構成にされたヒューズ回路構成体１は、バッテリやオルタネータからの電力がヒューズ回路構成体１を介して電子機器等に分配供給される。また、バッテリの電力が少なくなると、オルタネータよりバッテリに電力が供給される。
【００３６】
このため、オルタネータから供給される電力はバッテリから供給される電力よりも相対的に大きくなる。従って、本発明の実施形態に係る連結プレート部１１は、オルタネータに接続される入力部１４から電流の流れ方向Ｘにおいて遠ざかるにつれて幅狭となるように傾斜部２３が形成する。
【００３７】
これにより、特に大きい電力を供給するオルタネータに接続される入力部からの電力に対して、連結プレート部１１が可溶体部１２の過負荷を均等にすることができ、可溶体部１２の溶断時間のばらつきを抑制することができる。
【００３８】
次に、図２を参照して、本発明の実施形態に係るヒューズ回路構成体の連結プレート部幅について詳細に説明する。図２は、本発明の実施形態に係るヒューズ回路構成体の連結プレート部の幅について説明するための正面図である。
【００３９】
図２に示すように、幅が均一の連結プレート部では、入力部１４から入力された電流は、連結プレート部を介して入力部１４側の端子部１３ａから順に端子部１３ｂ、端子部１３ｃへと分配され（図１の矢印Ｙ参照）、端子部１３ａ、１３ｂ、１３ｃはそれぞれ異なる電流値の電流が分配される。
【００４０】
このため、例えば、入力部１４から入力された電流（矢印ｄ参照）が１２０Ａの場合、端子部１３ａには６０Ａ（矢印ａ参照）、端子部１３ｂには４０Ａ（矢印ｂ参照）、端子部１３ｃには２０Ａ（矢印ｃ参照）の電流がそれぞれ分配され、可溶体部１２の溶断特性にばらつきが生じるおそれがある（溶断時間に差が生じるおそれがある）。
【００４１】
そこで、本発明の実施形態に係る連結プレート部１１は、端子部１３ａ、１３ｂ、１３ｃに分配される電流値に対応した幅となるように形成されている。つまり、端子部１３ａから端子部１３ｃが連結されている連結プレート部１１ａの幅（矢印ｅ参照）、１１ｂの幅（矢印ｆ参照）、１１ｃの幅（矢印ｇ参照）は、端子部１３ａから端子部１３ｃに分配される電流値に対応した幅に形成されている。
【００４２】
詳細には、連結プレート部１１の幅が均一の連結プレート部によって端子部１３ａから端子部１３ｃに分配される電流値の比が３：２：１（例えば、６０Ａ：４０Ａ：２０Ａ）の場合、連結プレート部１１ａから連結プレート部１１ｃの幅（矢印ｅ〜矢印ｇ参照）の比が３：２：１になるように傾斜部２３が形成されている。
【００４３】
このため、入力部１４から連結プレート部１１の内部を流れて端子部１３へ分配する電流値を略均等（例えば、４０Ａ：４０Ａ：４０Ａ）にすることができ、連結プレート部１１が可溶体部１２の過負荷を均等にして、可溶体部１２の溶断時間のばらつきを抑制することができる。
【００４４】
上述したように、連結プレート部１１の内部を流れる電流値に対応して幅狭となるように連結プレート部１１が形成されている。このため、より確実に連結プレート部１１が可溶体部１２の過負荷を均等にすることができ、各可溶体部１２の溶断時間のばらつきを抑制することができる。
【００４５】
このようにして、本発明の実施形態に係るヒューズ回路構成体１は、入力部１４から入力された電流が通電される連結プレート部１１と、連結プレート部１１の、入力部１４から入力された電流の流れ方向に間隔をおいた箇所から所定の通電電流で溶断可能な各可溶体部１２を介してそれぞれ連結された複数の端子部１３とを有するヒューズ回路構成体１であって、連結プレート部１１は、入力部１４から流れ方向において遠ざかるにつれて幅狭となるように形成されている。
【００４６】
また、本発明の実施形態に係るヒューズ回路構成体１は、連結プレート部１１は、バッテリとオルタネータからの電流が通電され、入力部１４は、オルタネータに接続されている。
【００４７】
さらに、本発明の実施形態に係るヒューズ回路構成体１は、連結プレート部１１は、内部を流れる電流値に対応して幅狭となるように形成されている。
【００４８】
そして、本発明の実施形態に係るヒューズ回路構成体１によれば、入力部１４から入力された電流の流れ方向において遠ざかるにつれて幅狭となるように連結プレート部１１が形成されている。このため、連結プレート部１１が可溶体部１２の過負荷を均等にすることにより、可溶体部１２の溶断時間のばらつきを抑制することができる。
【００４９】
従って、可溶体部１２の溶断時間のばらつきを抑制することができるヒューズ回路構成体１を提供することができる。
【００５０】
また、本発明の実施形態に係るヒューズ回路構成体１によれば、オルタネータに接続される入力部１４から電流の流れ方向において遠ざかるにつれて幅狭となるように連結プレート部１１が形成されている。このため、特に大きい電力を供給するオルタネータに接続される入力部１４からの電力に対して、連結プレート部１１が可溶体部１２の過負荷を均等にして、可溶体部１２の溶断時間のばらつきを抑制することができる。
【００５１】
さらに、本発明の実施形態に係るヒューズ回路構成体１によれば、連結プレート部１１の内部を流れる電流値に対応して幅狭となるように連結プレート部１１が形成されている。このため、より確実に連結プレート部１１が可溶体部１２の過負荷を均等にすることができ、各可溶体部１２の溶断時間のばらつきを抑制することができる。
【００５２】
以上、本発明のヒューズ回路構成体を図示の実施形態に基づいて説明したが、本発明はこれに限定されるものではなく、各部の構成は、同様の機能を有する任意の構成のものに置き換えることができる。
【００５３】
上述した本発明の実施形態では、連結プレート部１１は入力部から入力された電流の流れ方向Ｘにおいて遠ざかるにつれて幅狭となるように傾斜部２３を形成する場合について説明したが、傾斜部２３に限定されない。
【００５４】
例えば、連結プレート部１１の内部を流れる電流値に対応して幅狭となるように、例えば、連結プレート部１１の幅方向の一側２１が入力部１４からの電流の流れ方向Ｘに対して位置をずらして階段状に形成されていてもよい。
【産業上の利用可能性】
【００５５】
本発明は、ヒューズ回路構成体を構成する可溶体部の溶断時間のばらつきを抑制する上で極めて有用である。
【符号の説明】
【００５６】
１      ヒューズ回路構成体
１１    連結プレート部
１２    可溶体部
１３    端子部
１４    入力部
２１    一側
２２    他側
２３    傾斜部
２４    機器接続用孔
２５    オルタネータ接続用孔
【図１】
0005771439.tif 000002
【図２】
0005771439.tif 000003
【図３】
0005771439.tif 000004